(57)【特許請求の範囲】
【請求項１】
切断材に当接させるベースと、該ベースに対して傾斜可能に支持された切断機本体を備え、該切断機本体は駆動モータと該駆動モータにより回転駆動される切断刃とを有する切断機であって、
前記切断刃の刃先により前記切断材が切断される切断部位を、該切断刃の背面側から照明する照明装置を備え、
該照明装置は、前記切断刃の側面から見て横方向に並置して配列すると共に前記切断刃の側面に対して傾斜して取付けられた第１及び第２の照明具を備え、且つ該第１及び第２の照明具は相互に異なる向きに取り付けられてその一方によって前記切断部位が照らされ、他方によって、前記ベースに設けたスミ線ガイドが照らされる切断機。
【請求項２】
請求項１記載の切断機であって、前記切断刃の背面側にメインハンドルを備え、該メインハンドルの先端側に前記第１及び第２の照明具を配置した切断機。
【請求項３】
請求項１又は２記載の切断機であって、前記第１及び第２の照明具は、共通の基板上に搭載された切断機。
【請求項４】
請求項１記載の切断機であって、前記ベースの下面に対する前記切断刃の突き出し量を変化させて該切断刃の前記切断材に対する切り込み深さを変更可能な構成とした切断機。
【発明の詳細な説明】
【技術分野】
【０００１】
この発明は、例えば携帯用のマルノコ等の切断機であって、暗い部位を明るく照らすことができる照明装置を備えた切断機に関する。
【背景技術】
【０００２】
従来、この種の照明装置には、例えば下記の特許文献１に開示されているものがあった。この従来の照明装置は、切断機本体の前部であって切断部位（切断刃の前端部であって、切断材が刃先によって実際に切断されている部位、以下同じ）の側方に照明具を配置し、該照明具によって切断部位を照らす構成となっていた。この照明具によって切断部位を明るく照らすことにより、作業者は暗い場所でもスミ線に対する切断刃の刃先の位置を目で確認しながら切断作業を効率よく正確に行うことができた。
【先行技術文献】
【特許文献】
【０００３】
【特許文献１】特開平１１−１７０２０３号公報
【発明の概要】
【発明が解決しようとする課題】
【０００４】
このように従来の照明装置は、主として切断部位（刃先）を照らすものであった。ここで、切断作業時において作業者は、スミ線に対する刃先の位置を目で確認しながら当該切断機を移動操作する場合の他、ベースの前端に設けたスミ線合わせ用のガイド部（以下、スミ線ガイドともいう）にスミ線を位置合わせしながら切断機を移動操作する場合もあり、刃先またはスミ線ガイドの何れを基準にして切断作業を行うかは、作業者の好みあるいは作業環境等により適宜選択される。
ところが、上記したように従来の照明装置は、切断部位は明るく照らされるものの、切断部位とスミ線ガイドとの間には、通常切断機本体を切断方向左右に傾動可能に支持するための傾動支持部が設けられており、切断部位を照らす明かりがこの傾動支持部により遮られてスミ線ガイドおよびその周辺にまで届かず、その結果、暗い場所でスミ線ガイドを基準にして切断作業を行う場合にはその作業効率がよくなかった。
そこで、本発明は、スミ線ガイドおよびその周辺を明るく照らすための照明装置を備えた切断機を提供することを目的とする。
【課題を解決するための手段】
【０００５】
このため、本発明は下記構成の切断機とした。
第１の発明は、「切断材に当接させるベースと、該ベースに支持された切断機本体と、前記ベースに設けたスミ線ガイドを照らすための照明装置を備えた切断機」とした。係る構成の切断機によれば、スミ線ガイドを照らすための照明装置により、該スミ線ガイドおよびその周辺が明るく照らされるので、作業者は暗い場所であっても該スミ線ガイドおよびその周辺を目で容易に確認することができ、これによりスミ線ガイドを基準にして切断作業を行う場合の作業効率を高めることができる。
第２の発明は、「第１の発明に係る切断機であって、切断機本体は、作業者が一方の手で持つメインハンドルと、該メインハンドルよりも前方に位置し、作業者が他方の手で持つグリップ部を備え、該グリップ部に照明装置の照明具を配置して、該照明具によりスミ線ガイドを照らす切断機」とした。係る構成の切断機によれば、切断機本体の電源を比較的容易に利用でき、かつスミ線ガイドに比較的近くかつ他の部材に遮光されることなく明かりをスミ線ガイドに直接照射できる部位であるグリップ部に照明具が配置されているので、配線の簡略化を図りつつ、スミ線ガイドを効率よく照らすことができる。
第３の発明は、「第２の発明に係る切断機であって、照明装置は２つの照明具を備え、一方の照明具によりスミ線ガイドを照らし、他方の照明具により切断部位を照らす構成とした切断機」とした。係る構成の切断機によれば、スミ線ガイドだけなく、切断部位（刃先）も明るく照らされるので、スミ線ガイドを基準にして切断作業を行う場合および刃先を基準にして切断作業を行う場合の双方について作業効率を高めることができる。
第４の発明は、「切断材に当接させるベースと、該ベースに対して傾動支持部を介して切断方向側方に傾動可能に支持された切断機本体と、前記ベースに設けたスミ線ガイドを照らすための照明装置を備え、該照明装置の照明具を前記傾動支持部に取り付けて前記スミ線ガイドを照らす構成とした切断機」とした。係る構成の切断機によれば、スミ線ガイドに比較的近い部位に配置される傾動支持部に照明具が配置されるので、従来のように該傾動支持部に遮光されることなくスミ線ガイドを効率良く照らすことができ、従ってスミ線ガイドを基準にして切断作業を行う場合の作業効率を高めることができる。
第５の発明は、「第４の発明に係る切断機であって、傾動支持部の傾動軸に中空軸を用い、該傾動軸の内周側に照明装置の照明具を配置して前記スミ線ガイドを照らす構成とした切断機」とした。係る構成の切断機によれば、上記作用効果に加えて、切断機本体を傾動させても照明具の位置が変わらないので、当該照明装置の配線の取り回しが容易になる。また、他の機能（切断機本体を傾動支持する機能）を果たすために用いられる傾動軸を利用して照明具を配置する構成であるので、別途照明具配置用のスペースを確保する必要がないとともに、他物品の干渉等による照明具破損のおそれがない（耐久性がよい）。
第６の発明は、「切断材に当接させるベースと、該ベースに対して傾動支持部を介して切断方向側方に傾動可能に支持された切断機本体と、前記ベースに設けられ、前記傾動支持部に対して切断部位とは反対側に位置するスミ線ガイドを照らすための照明装置を備え、前記傾動支持部の傾動軸に中空軸を用い、該傾動軸の内周側にレンズを取り付けるとともに前記傾動支持部に対して切断部位側に配置した照明具の明かりを前記レンズで集光して前記スミ線ガイド側に照射する構成とした切断機」とした。
また、第７の発明は、「切断材に当接させるベースと、該ベースに対して傾動支持部を介して切断方向側方に傾動可能に支持された切断機本体と、前記ベースに設けられ、前記傾動支持部に対して切断部位とは反対側に位置するスミ線ガイドを照らすための照明装置を備え、前記傾動支持部の傾動軸に中空軸を用い、該傾動支持部に対して切断部位側に配置した照明具の明かりを該傾動軸の内周側を経て前記スミ線ガイド側に照射する構成とした切断機」とした。係る構成の切断機によれば、切断部位を照らす位置に配置した照明具の明かりを利用して、従来であれば傾動支持部により遮光されて明かりが届かなかったスミ線ガイドを明るく照らすことができる。係る構成の照明装置は、一つの照明具によって切断部位とスミ線ガイドの双方を照らすことができる点でメリットが特に大きい。
【図面の簡単な説明】
【０００６】
【図１】本発明の第１実施形態を示す図であり、切断機の側面図である。
【図２】第１実施形態の切断機の平面図である。
【図３】切断機本体のうちモータケース側を単独で示す斜視図である。
【図４】第２実施形態の切断機の側面図である。本図において、前側傾動支持部の一部が縦断面で示されている。
【図５】第２実施形態の切断機の平面図である。本図では、ブレードケースの一部が横断面で示されている。
【図６】第２実施形態の切断機において、前側傾動支持部の一部断面側面図である。
【図７】図６の矢印（７）方向から見た図であって、前側傾動支持部の正面図である。
【図８】第３実施形態の切断機における照明具を示す図であって、前側傾動支持部の一部断面側面図である。
【図９】第４実施形態の切断機における照明具を示す図であって、前側傾動支持部の一部断面側面図である。
【発明を実施するための形態】
【０００７】
次に、本発明の第１実施形態を図１〜図３に基づいて説明する。図１および図２は、第１実施形態の切断機１を示している。この切断機１は、切断材Ｗに当接させるベース２と、該ベース２に対して切断方向左右に傾動可能に支持された切断機本体３と、切断部位およびスミ線合わせ用のガイド部（スミ線ガイド４ａ，４ｂ）を明るく照らすための照明装置５を備えている。なお、この明細書において、切断方向とは、切断作業において当該切断機１が移動する方向であって、切断が進行する方向をいう。従って、図１および図２において右方が切断方向となる。
ベース２の前端（図において右端部）に、スミ線ガイド４ａ，４ｂが設けられている。本例では、直角切り用のスミ線ガイド４ａと４５゜で傾斜切りを行う場合のスミ線ガイド４ｂの２種類が設定されている。このベース２を切断材Ｗの上面に乗せ掛けて、該切断材Ｗの上面に予め描いたスミ線（図示省略）にスミ線ガイド４ａ（または４ｂ）を位置合わせしつつ当該切断機１を移動させることにより刃先をスミ線に沿って移動させることができ、これにより切断材Ｗをスミ線に沿って直角切り（または４５゜で傾斜切り）することができる。
切断刃２２を切断材Ｗに対して直交させることにより直角切りが行われ、切断刃２２を切断材Ｗに対して４５゜傾斜させることにより４５゜で傾斜切りが行われる。切断刃２２の傾斜は切断機本体３をベース２に対して傾動させることにより行う。
【０００８】
このベース２の前部と後部の２箇所に設けた傾動支持部Ｆ，Ｒを介して切断機本体３が切断方向左右へ傾動可能に支持されている。ベース２の前部であって、上記スミ線ガイド４ａ，４ｂの後ろ側に、前側の傾動支持部Ｆが設けられている。この前側の傾動支持部Ｆは、ベース２の上面から上方へ立ち上げ状に設けた傾動ベース６を備えている。この傾動ベース６の後面側には傾動軸７を介して傾動ブラケット８が上下に傾動可能に設けられている。図１に示すように傾動ベース６に対する傾動ブラケット８の傾動位置は、傾動ブラケット８に設けた固定ボルト８ｂに対して固定ナット８ｄを締め込むことにより固定される。固定ナット８ｄには、その締め込み、緩め操作の便宜を図るためにツマミ８ｃが取り付けられている。
この傾動ブラケット８の傾動先端側には２つの支持縁部８ａ，８ａが相互に平行な状態で後ろ側へ張り出すように設けられている。両支持縁部８ａ，８ａ間に、切断機本体３の前端部に設けた傾動アーム部２９が支持軸９を介して上下に傾動可能に支持されている。図２に示すように傾動軸７は、上記支持軸９に対してその軸心を直交させる向きに配置されている。
【０００９】
一方、ベース２の後部には、後ろ側傾動支持部Ｒが設けられている。この後ろ側傾動支持部Ｒは、ベース２の上面に固定した傾動ベース１０を備えている。この傾動ベース１０には、支持軸１１を介してガイドブラケット１２が切断方向右側へ傾動可能に取り付けられている。この後ろ側の支持軸１１は、前記前側の傾動軸７と同軸に配置されている。図２に示すように、このガイドブラケット１２は、ブレードケース２０の背面側に取り付けた固定ボルト１３に対して固定ナット１５を締め込むことによりブレードケース２０に固定される。固定ナット１５はレバー１４を上下に回動させることにより固定ボルト１３に対して締め込み、また緩めることができる。
ガイドブラケット１２には上下に長い円弧形状のガイド溝１２ａが設けられている。このガイド溝１２ａを介してガイドブラケット１２が切断機本体３のブレードケース２０の背面に固定されている。
前記前側の傾動ブラケット８が傾動軸７を中心にして上下に傾動可能に支持され、かつ後ろ側のガイドブラケット１２が支持軸９を中心にして切断方向左右に傾動可能に支持されていることにより、切断機本体３を切断方向に対して左右に傾動させることができ、これにより切断刃２２の切断材Ｗに対する傾斜角度を変更して直角切りまたは傾斜切りを行うことができる。
また、固定ナット１５を緩めた状態で、前側の支持軸９を中心にして切断機本体３を上下に傾動させて、切断刃２２のベース２下面からの突き出し量を変化させることにより切断刃２２の切断材Ｗに対するいわゆる切り込み深さを変更することができる。
【００１０】
次に、切断機本体３は、上記ブレードケース２０と、駆動モータを内蔵したモータケース２１を備えている。ブレードケース２０の裏面側には円筒形状のギヤケース部２０ａが設けられており、このギヤケース部２０ａにモータケース２１が突き合わされてブレードケース２０とモータケース２１が接続されている。モータケース２１に内蔵した駆動モータの出力は、ギヤケース部２０ａに内蔵したギヤ列により減速されて円形の切断刃２２の回転として出力される。切断刃２２はブレードケース２０の内側に位置している。
切断刃２２の上側ほぼ半分の範囲の刃先がブレードケース２０により覆われ、下側ほぼ半分の範囲が開閉可能なセーフティカバー２３により覆われている。セーフティカバー２３は切断作業時には上方へ回動し、これにより切断刃２２のベース２の下面側に突き出す範囲が露出される。
【００１１】
図３には、切断機本体３のうちモータケース２１側が単独で示されている。このモータケース２１は、その上面から斜め後方へ突き出されて後面に至る略Ｃ形のメインハンドル２５と、該メインハンドル２５よりも前側であって、当該モータケース２１の前面から前方へ突き出すように設けられたグリップ部２６を備えている。メインハンドル２５の内周側には上記駆動モータを起動停止させるためのメインスイッチ２７が配置されている。また、このメインハンドル２５の後部には電源コード２８が引き込まれている。
作業者は、一方の手でメインハンドル２５を把持し、他方の手でグリップ部２６を把持して当該切断機１を両手でしっかりと支えながら切断方向へ移動させることができる。
上記グリップ部２６に、照明装置５の照明具５ａ，５ｂを搭載した基板５ｃが内蔵されている。基板５ｃおよび両照明具５ａ，５ｂは半透明のケース５ｅに収容された状態でグリップ部２６に内蔵されている。本実施形態では、照明具５ａ，５ｂには発光ダイオード（ＬＥＤ）が用いられている。この両照明具５ａ，５ｂは、上記メインハンドル２５の前側基部付近の側面（図１において手前側の側面）に配置した照明スイッチ５ｄをオンオフ操作することにより点灯、消灯させることができる。照明装置５の電源には、前記電源コード２８により得られる当該切断機１の駆動電力が流用されている。
図２によく示されているように、２個の照明具５ａ，５ｂのうち、図示後ろ側の照明具５ａは切断部位に向けられ、図示前側の照明具５ｂは前記スミ線ガイド４ａ，４ｂに向けられている。なお、図１において切断部位が矢印Ｃで示されている。
【００１２】
以上のように構成した第１実施形態の切断機１によれば、メインハンドル２５に設けた照明スイッチ５ｄをオンすると、グリップ部２６に内蔵した照明具５ａ，５ｂが点灯する。照明具５ａは切断部位Ｃに向けられ、照明具５ｂはスミ線ガイド４ａ，４ｂに向けられている。このため、切断部位Ｃおよびその周辺とスミ線ガイド４ａ，４ｂおよびその周辺が同時に照らされる。このため、例えば暗い場所で切断作業を行う場合であっても切断部位Ｃとスミ線ガイド４ａ，４ｂの双方が明るく照らされるので、作業者は切断部位Ｃにおける刃先のスミ線に対する位置を目で確認しながら切断作業を精度よく楽に行うことができるとともに、スミ線ガイド４ａ（または４ｂ）のスミ線に対する位置をも目で確認しながら直角切り（または４５゜で傾斜切り）を行うことができる。
【００１３】
このことから、従来切断部位Ｃのみを対象とする照明装置では、スミ線ガイドを基準に切断作業を行う作業者にとっては作業効率の低下を招いていたが、上記例示した切断機１によればスミ線ガイド４ａ，４ｂおよびその周辺が明るく照らされるので、効率良く切断作業を行うことができる。
なお、照明具５ｂによれば、グリップ部２６の側面から斜め下方へ向けて明かりがスミ線ガイド４ａ，４ｂに照射される。その照射経路は、前側傾動支持部６よりも上側を通過するように、当該照明具５ｂの位置あるいは前側傾動支持部６の形状および位置等が設定されており、これにより照明具５ｂから照射される明かりが前側傾動支持部Ｆによって遮られないようになっている。
また、例示した照明装置５の照明具５ａ，５ｂをグリップ部２６に配置する構成としたので配線の取り回しが容易であり、また配線がモータケース２１側のみで足り、ブレードケース２０との間に跨って配線する必要がないので、当該切断機１の組付け時あるいはメンテナンス時の便宜を図ることができる。
以上説明した第１実施形態には種々変更を加えることができる。例えば、切断部位Ｃを照らす照明具５ａは省略してもよい。また、照明スイッチを２個配置して照明具５ａ，５ｂをそれぞれ独立して点灯、消灯可能な構成としてもよい。
また、照明装置５の電源として、当該切断機駆動用の電源を流用する構成を例示したが、例えば別途乾電池等を電源としてもよい。
【００１４】
次に、第２実施例を図４〜図７に基づいて説明する。この第２実施形態は、第４または第５の発明の実施形態に相当する。上記した第１実施形態では、照明装置５の照明具５ａ，５ｂを、モータケース２１の前部に設けたグリップ部２６に配置した構成を例示したが、以下説明する第２実施形態の切断機３０は切断機本体３１を傾動支持する前側の傾動支持部Ｆ２の傾動軸３２を利用して照明装置３３の照明具３３ａを取り付ける構成に特徴を有している。
以下、第１実施形態に比して変更を要しない部材、構成については適宜同位の符号を用いてその説明を省略する。
ベース２の前端には、前記第１実施形態と同様、直角切り用のスミ線ガイド４ａと、４５゜傾斜切り用のスミ線ガイド４ｂが設けられている。
【００１５】
図６および図７には、第２実施形態における前側傾動支持部Ｆ２の詳細が示されている。この前側傾動支持部Ｆ２は、ベース２の上面に切断方向（図６において左右方向）に一定の間隔をおいて設けた支持ブロック部３５，３６を有している。この両支持ブロック３５，３６間に傾動軸３２が架け渡し状に取り付けられている。この傾動軸３２を介してベース２の上面には傾動ブロック３４が切断方向左右に傾動可能に支持されている。この傾動ブロック３４には相互に平行な支持縁部３４ａ，３４ａが設けられており、この両支持縁部３４ａ，３４ａ間に、切断機本体３１の傾動アーム部３１ａが支持軸３７を介して上下に傾動可能に支持されている。
以上の構成により、切断機本体３１は、傾動軸３２を中心にして切断方向左右に傾動可能であり、これにより直角切りまたは傾斜切りを行うことができる。また、切断機本体３１は、支持軸３７を中心にして上下に傾動可能であり、これにより切断刃２２の切り込み深さを変更することができる。
【００１６】
なお、傾動軸３２の後端側は図６に示すように段付き形成され、その段付き面は後ろ側の支持ブロック３６に突き当てられているとともに、該傾動軸３２の前端側は固定ねじ３５ａにより前側の支持ブロック３５に対して固定され、これにより当該傾動軸３２が両支持ブロック３５，３６間から離脱しないように固定されている。
また、ベース２の上面であって傾動ブロック３４の前側には傾動固定ベース３８が上方へ立ち上げ状に設けられている。この傾動固定ベース３８と傾動ブロック３４との間には、該傾動ブロック３４に設けた固定ボルトにナットを締め込むことにより傾動固定ベース３８に対する傾動ブロック３４の傾動位置が固定され、これにより切断機本体３１の傾動位置が固定される。図５および図７には、固定ナットに取り付けたツマミ３８ｂのみが見えている。
さらに、図７に示すように傾動固定ベース３８には円弧形状をなすガイド溝３８ａが形成されており、上記固定ボルトはこのガイド溝３８ａ内に挿通されている。ガイド溝３８ａには角度目盛り３８ｃが付されており、この角度目盛り３８ｃによって切断機本体３１のベース２に対する傾斜角度を正確に確認することができる。
【００１７】
さて、上記傾動軸３２には中空軸が用いられている。この傾動軸３２の先端内周側に１個の照明具３３ａおよびこれを搭載した基板３３ｃが内装されている。照明具３３ａには、第１実施形態と同様発光ダイオード（ＬＥＤ）が用いられている。また、この照明具３３ａの前方は半透明のカバー３３ｂにより覆われている。このカバー３３ｂは、傾動軸３２の内周面に対して一定の押圧力で嵌め込まれ、さらに接着剤により固定されているため、振動等により簡単には外れないようになっている。
図示するように傾動軸３２の先端ひいては照明具３３ａは上記スミ線ガイド４ａ，４ｂに極めて近い部位に位置している。
【００１８】
基板３３ｃに電源を供給する電気配線３３ｄは傾動軸３２の後端開口部を経てブレードケース３９内に引き込まれている。この電気配線３３ｄは、ブレードケース３９の背面と、該背面に沿って取り付けた遮蔽板３９ａとの間のスペースを利用して配線されている。このスペース内において、電気配線３３ｄは、適度にたるみを持った状態に取り回されている。このたるみは、図４においてＳ字形に緩やかに蛇行する経路で配線されていることにより示されている。このたるみによって、切断機本体３１をベース２に対して切断方向左右に傾動させ、あるいは上下に傾動させる際において、当該電気配線３３ｄが強く引っ張られて断線等しないようになっている。
図５に示すようにこの電気配線３３ｄは、ブレードケース３９のギヤケース部３９ｂと、モータケース３１ｂとの接合部Ｊ付近で、当該モータケース３１ｂ側の電気配線とコネクタ接続されて、ブレードケース３９内およびギヤケース部３９ｂ内からモータケース３１ｂ内に取り回されている。
【００１９】
また、図５に示すようにブレードケース３９の背面側であって、ギヤケース部３９ｂの前側には、下方に開口したかさ部３９ｃが形成されており、このかさ部３９ｃの内側にも照明具３９ｄが配置されている。この照明具３９ｄは、切断部位Ｃに向けられている。この照明具３９ｄには、上記照明具３３ａとは異なって通常の豆電球が用いられている。この照明具３９ｄの電気配線３９ｅも前記電気配線３３ｄと同様モータケース３１ｂ側の電気配線にコネクタ接続されている。
さらに、第１実施形態と同様、メインハンドル２５の前側側面には照明スイッチが配置されている。この照明スイッチは上記電気配線３３ｄ，３９ｅに接続されている。従って、この照明スイッチをオンオフ操作することにより照明具３３ａを点灯、消灯することができる。
【００２０】
以上のように構成した第２実施形態の切断機３０によれば、メインハンドル２５に設けた照明スイッチをオンすると、照明具３３ａが点灯する。この照明具３３ａは、前側の傾動支持部Ｆ２の傾動軸３２の内周側に配置されて、スミ線ガイド４ａ，４ｂに極めて近い部位に位置している。このため、照明スイッチをオンして照明具３３ａを点灯すると、スミ線ガイド４ａ、４ｂが明るく照らされる。従って、切断材Ｗに予め描いたスミ線を基準にして切断作業を行う場合であって、暗い場所等で切断作業を行う場合に、スミ線ガイド４ａ，４ｂおよびその周辺が明るく照らされるので、切断作業を効率よく行うことができる。
また、照明スイッチをオンすると、上記照明具３３ａとともに照明具３９ｄが点灯し、これにより切断部位Ｃが明るく照らされるので、切断部位Ｃを目で確認しながら切断作業を行う場合の作業効率を高めることができる。
【００２１】
さらに、照明具３３ａが前側傾動支持部Ｆ２の傾動軸３２に内蔵されているので、切断機本体３１を切断方向左右に傾動させても位置が変わらないので、当該照明具３３ａからの電気配線３３ｄがねじれたりすることがなく、当該照明装置３３の耐久性を高めることができる。また、切断機本体３１の傾動を可能とするために電気配線３３ｄのたるみを最小限に押さえることができ、従って当該配線３３ｄの取り回しを容易にすることができる。
この第２実施形態にも種々変更を加えることができる。例えば、切断部位Ｃを照らす照明具３９ｄにも発光ダイオードを用いてもよい。一方、この切断部位Ｃ用の照明具３９ｄは省略して、スミ線ガイド４ａ，４ｂおよびその周辺のみを明るく照らす構成としてもよい。
また、照明具３３ａとして発光ダイオードを用いる構成を例示したが、これに代えて通常の豆電球を用いてもよい。
また、照明装置３３の電源として、当該切断機駆動用の電源を流用する構成を例示したが、例えば別途乾電池等を用いて電源としてもよい。
【００２２】
次に、第６の発明の実施形態（第３実施形態）を説明する。この第３実施形態は、スミ線ガイド４ａ，４ｂを照らすための専用の照明具を備えず、切断部位Ｃを照らすための照明具の明かりを流用して該スミ線ガイド４ａ，４ｂを明るく照らす構成となっている。第２実施形態と同様の部材、構成については同位の符号を用いて、その説明を省略する。
この第３実施形態の切断機は、前記第２実施形態における照明具３９ｄを備えている。この照明具３９ｄは電気配線３９ｅを経て当該切断機の駆動電源回路に接続されている。また、この照明具３９ｄは、メインハンドル２５に設けた照明スイッチ５ｄ（図３参照）をオン操作することにより点灯させることができる。照明具３９ｄが点灯すると切断部位Ｃが明るく照らされるので、暗い場所であっても作業者は切断部位Ｃをはっきりと見ることができ、これにより効率のよい切断作業を行うことができる。これらの点については、第２実施形態の照明具３９ｄによる作用効果と同様である。
このように、照明具３９ｄにより切断部位Ｃは明るく照らされるが、該切断部位Ｃとスミ線ガイド４ａ，４ｂとの間には、傾動ブロック３４および支持ブロック３５，３６等からなる前側傾動支持部Ｆ３が位置しているため、従来であれば、照明具３９ｄの明かりはスミ線ガイド４ａ，４ｂまで届かず、従って暗い場所であれば、スミ線ガイド４ａ，４ｂ側は陰となって見づらい状態となる。しかしながら、以下説明する第３実施形態の照明装置４０によれば切断部位Ｃ用の照明具３９ｄの明かりを利用してスミ線ガイド４ａ，４ｂを明るく照らすことができる。
【００２３】
図８に示すように切断機本体（図示省略）を切断方向左右に傾動支持するための前側傾動支持部Ｆ３における傾動軸４１には中空軸が用いられている。この点は、前記第２実施形態と同じである。この傾動軸４１の内周側には、前端に光拡散用のレンズ部４３ａを有する透明樹脂製のスリーブ４３が嵌め込まれている。このスリーブ４３の後端部には集光用のレンズ４２が脱落しないように固定されている。第３実施形態の場合、照明具３９ｄ、レンズ４２およびスリーブ４３等により照明装置４０が構成されている。
この照明装置４０によれば、当該前側傾動支持部Ｆ３に対して切断部位Ｃ側（図８において左側）において、切断部位Ｃおよびその周辺を照らす照明具３９ｄの明かりは、レンズ４２に集光された後スリーブ４３内を経てレンズ部４３ａに照射され、然る後該レンズ部４３ａにより拡散されて前方すなわち前側傾動支持部Ｆ３に対して切断部位Ｃとは反対側へ照射され、これによりスミ線ガイド部４ａ，４ｂが明るく照らされる。
このように切断部位Ｃ用の照明具３９ｄの明かりを利用してスミ線ガイド部４ａ，４ｂが明るく照らされるので、暗い場所において作業者はスミ線ガイド４ａ，４ｂを目で確認しながら切断作業を効率よく行うことができる。また、照明具３９ｄによって切断部位Ｃも明るく照らされるので、該切断部位Ｃを目で確認しながら切断作業を効率よく行うこともできる。
【００２４】
次に、第７の発明の実施形態（第４実施形態）を図９に基づいて説明する。この第４実施形態も、第３実施形態と同様、スミ線ガイド４ａ，４ｂを照らすための専用の照明具を備えず、切断部位Ｃを照らすための照明具３９ｄの明かりを流用して該スミ線ガイド４ａ，４ｂを明るく照らす構成となっている。これらの構成については第３実施形態と同様であるので説明を省略する。
この第４実施形態の切断機における前側傾動支持部Ｆ４の傾動軸５１にも中空軸が用いられている。第４実施形態の場合、この傾動軸５１の内周側には、第３実施形態とは異なってスリーブ４３あるいはレンズ４２等の他部材は組み込まれておらず、中空状態のままとされている。この第４実施形態の場合、傾動軸５１、照明具３９ｄ、照明スイッチ５ｄ等により照明装置５０が構成されている。
このように構成した照明装置５０によれば、照明具３９ｄにより切断部位Ｃが明るく照らされるとともに、その明かりが傾動軸５１の内周側に照射され、これが当該傾動軸５１の内周側を経て切断部位Ｃ側の反対側すなわちスミ線ガイド４ａ，４ｂに照射されるので、暗い場所であっても傾動支持部Ｆ４によって遮光されることなくスミ線ガイド４ａ，４ｂが照明具３９ｄによって明るく照らされ、これによりスミ線ガイド４ａ，４ｂを基準にして効率のよい切断作業を行うことができる。
上記傾動軸５１の内周側に例えばメッキ処理を施して光りの反射率を高めることにより一層スミ線ガイド４ａ，４ｂを効率よく照らすことができる。
【符号の説明】
【００２５】
Ｃ…切断部位
１…切断機（第１実施形態）
２…ベース
３…切断機本体
４ａ…スミ線ガイド（直角切り用）
４ｂ…スミ線ガイド（４５゜傾斜切り用）
５…照明装置（第１実施形態）
５ａ…照明具（切断部位用）、５ｂ…照明具（スミ線ガイド用）
Ｆ…前側傾動支持部（第１実施形態）、Ｒ…後ろ側傾動支持部
２０…ブレードケース、２０ａ…ギヤケース部
２１…モータケース
２２…切断刃
２５…メインハンドル
２６…グリップ部
３０…切断機（第２実施形態）
３２…傾動軸
３３…照明装置（第２実施形態）
３３ａ…照明具、３３ｄ…電気配線
３９…ブレードケース、３９ｄ…照明具
４０…照明装置（第３実施形態）
４１…傾動軸（第３実施形態）
４２…レンズ、４３…スリーブ、４３ａ…レンズ部
５０…照明装置（第４実施形態）
５１…傾動軸（第４実施形態）
Ｆ２…前側傾動支持部（第２実施形態）
Ｆ３…前側傾動支持部（第３実施形態）
Ｆ４…前側傾動支持部（第４実施形態）
【図１】
0004712878.tif 000002
【図２】
0004712878.tif 000003
【図３】
0004712878.tif 000004
【図４】
0004712878.tif 000005
【図５】
0004712878.tif 000006
【図６】
0004712878.tif 000007
【図７】
0004712878.tif 000008
【図８】
0004712878.tif 000009
【図９】
0004712878.tif 000010